(57)【要約】【課題】  大脳から体節に到達した病理の興奮性信号を調節することによって、疾病の治療および予防効果を達成できる医療用脊髄反射点調節器具を提供する。【解決手段】  手の甲から探し出した脊髓反射点に金属刺激を与えるための調節器具として、ハサミ型の調節器具１、クリップ型の調節器具７、またはバンド型の調節器具８が挙げられ、これらの調節器具の金属製圧迫突起６により、手の甲および中指に存在する分節脊髓反射点Ｐに一定の圧力が与えられるように構成した。【選択図】      図１
2004243108.tif 000002
【特許請求の範囲】
【請求項１】
指を挟むのに好適な湾曲形状を有する一対の挟持部（３,３）と、
前記一対の挟持部(３,３)を結合し、前記一対の挟持部（３,３）が弾性的に閉じられるようにするスプリング（５）を備えたヒンジ部（２）と、
前記一対の挟持部（３,３）のうち、少なくとも一方の挟持部（３）の内側面に形成され、人体の分節脊髄反射点（Ｐ）に一定の圧力で金属刺激を与える凹凸型の金属製圧迫突起（６）と、
を具備することを特徴とする医療用脊髄反射点調節器具。
【請求項２】
弾性的な材質で形成され、人体部位である手の甲を挟持するのに好適な形態の折り曲げ型の胴体部（１０）と、
前記胴体部（１０）の内側表面に形成され、人体の分節脊髄反射点（Ｐ）に一定の圧力で金属刺激を与える凹凸型の金属製圧迫突起（６）と、
を具備することを特徴とする医療用脊髄反射点調節器具。
【請求項３】
織物または合成樹脂で制作されたバンド型部材（１１）と、
前記バンド型部材（１１）をリング形態に固定可能な固定部材（９）と、
前記バンド型部材（１１）の一面に形成され、人体の分節脊髄反射点（Ｐ）に一定の圧力で金属刺激を与える凹凸型の金属製圧迫突起（６）と、
を具備することを特徴とする医療用脊髄反射点調節器具。
【請求項４】
前記金属製圧迫突起（６）は、金、銀、白金、銅、永久磁石のいずれかの材質で形成されることを特徴とする請求項１〜３のいずれか１項に記載の医療用脊髄反射点調節器具。
【請求項５】
前記金属製圧迫突起（６）は、２〜７ｍｍの高さで形成され、その端部が平面凹凸型、鋸歯型、円錐型、ピラミッド型のような凹凸型で形成されることを特徴とする請求項１〜３のいずれか１項に記載の医療用脊髄反射点調節器具。
【発明の詳細な説明】
【技術分野】
【０００１】
本発明は、病理によって作用する大脳信号を分節脊髓反射点において調節することにより人体の疾病を予防・治療することのできる医療用調節器具に関するものであり、中指または手の甲の脊髓反射点に横直線配列の金属製の圧迫突起を一定の時間クリッピング（clipping）して、かかる脊髓反射点に繋がっている大脳の興奮性信号を抑制・調節することにより、本発明の目的である疾病の予防・治療効果を達成し得るようにしたものである。
【背景技術】
【０００２】
従来、マッサージ用補助具の一形態として、突起部を有する一対の挟持体の基端部同士を連結ピンにより連結すると共に、両挟持体を対向状態となしたものがある（例えば、特許文献１参照）。
【０００３】
そして、両挟持体により患部を挟むと共に、突起部を患部に当てて押し付けて、凝りをほぐすようにしている。
【特許文献１】実開平４−４２８２４号公報
【発明の開示】
【発明が解決しようとする課題】
【０００４】
ところが、上記したマッサージ用補助具では、患部の凝りをほぐすための操作として、両挟持体の接離操作を繰り返し行う必要性があり、この接離操作を繰り返し行うためには、両挟持体を持つ手を何度も持ち替えなければならないという煩わしさがある。
【課題を解決するための手段】
【０００５】
そこで、本発明では、指を挟むのに好適な湾曲形状を有する一対の挟持部と、前記一対の挟持部を結合し、前記一対の挟持部が弾性的に閉じられるようにするスプリングを備えたヒンジ部と、前記一対の挟持部のうち、少なくとも一方の挟持部の内側面に形成され、人体の分節脊髄反射点に一定の圧力で金属刺激を与える凹凸型の金属製圧迫突起と、を具備することを特徴とする医療用脊髄反射点調節器具を提供するものである。
【０００６】
また、本発明は、以下の構成にも特徴を有する。
【０００７】
（１）弾性的な材質で形成され、人体部位である手の甲を挟持するのに好適な形態の折り曲げ型の胴体部と、前記胴体部の内側表面に形成され、人体の分節脊髄反射点に一定の圧力で金属刺激を与える凹凸型の金属製圧迫突起とを具備すること。
【０００８】
（２）織物または合成樹脂で制作されたバンド型部材と、前記バンド型部材をリング形態に固定可能な固定部材と、前記バンド型部材の一面に形成され、人体の分節脊髄反射点に一定の圧力で金属刺激を与える凹凸型の金属製圧迫突起とを具備すること。
【０００９】
（３）前記金属製圧迫突起は、金、銀、白金、銅、永久磁石のいずれかの材質で形成されること。
【００１０】
（４）前記金属製圧迫突起は、２〜７ｍｍの高さで形成され、その端部が平面凹凸型、鋸歯型、円錐型、ピラミッド型のような凹凸型で形成されること。
【発明の効果】
【００１１】
本発明に係る医療用脊髓反射点調節器具は、両手の中指および手の甲にそれぞれ存在する３１個の調節点、すなわち分節脊髓反射点に、調節器具に取り付けられた金属製の突起が圧迫刺激を与えて大脳信号を調節することにより、治療および予防効果を発揮する器具であり、中指にはスプリングの弾力を利用したリングタイプの器具を挟み、また手の甲にはクリップタイプに作られた器具の弾力によって金属突起の圧迫刺激が与えられるようにすることで、身体の機械的、生化学的な生理活動を円滑に回復させることができる。
【００１２】
そして、難病や原因の分からない疾病までも効果的に治療できると共に、予防医学としても十分な効果が有するので、人類の健康増進に大きく貢献できる。
【発明を実施するための最良の形態】
【００１３】
人体のすべての生命活動は、大脳から体節に到達する電気的信号によって機械的で生化学的な生理活動が行われる。発生学的には、人体は中枢神経系が根幹となって分節的にその構造的な形態ができているので、人体のすべての器官および組織は体節神経（脊髓神経）の支配を受ける。大脳の神経細胞は、左半球と右半球とで分けられ、左右の３１対の分節脊髓を介して３１対の体節に分配され、皮節、筋節（骨格筋、平滑筋）、硬節からなる体節組織の感覚と運動、そしてそれに伴う生化学的な生理活動を支配する。
【００１４】
左半球および右半球には、それぞれ３種の神経系（神経細胞）が互いに拮抗的に働くことにより、生理的な恒常性を維持する。すべての病理の要因は、遺伝的要因と環境的要因とが総合されている大脳の３種の神経系の均衡が破れ、それらの３種の神経系のうち一つの神経系の信号が興奮的に作用することで誘発されるものであるので、かかる信号を変化させることですべての病症は消失する。したがって、「信号調節は治療そのもの」である。
【００１５】
一般に、神経系はネットワークで構成されている。特に、上下肢の体節神経は脊髓から出て来ると、上下の様々な体節から出て来た神経線維と合流したり、再び分岐したりする交じり合いを繰り返す神経叢（spinal nerve plexus）を形成したりする。このような神経解剖・生理学的な特性上、すべての病理の信号調節は分節脊髓または分節脊髓反射点で行われるとき、安全で且つ正確な臨床請う効果が得られる。
【００１６】
ところで、大脳の皮質地図を観ると、顔面と手の皮質分布面積が身体の皮質分布面積に比べて数十倍も大きい。したがって、機能的に人体と相応している手から分節脊髓反射点を探し出して活用できれば、效率性を高めることができる。
【００１７】
上記のような事実に基づいて開発された本発明に係る調節器具は、中枢神経系と相応する手背（中指と手の甲）から探し出した分節脊髓反射点に金属刺激を与えるものである。かかる金属刺激は体節のインパルスに対して抑制的に働いて興奮性インパルスに起因する体節の病理を消失させることにより、体節のすべての病症および病変を回復し得るということが立証されて実用化に至ったのである。
【００１８】
本発明に係る調節器具（圧迫器具）は、皮膚を貫通して入り込む金属刺激を筋肉に与え、大脳信号を調節することにより治療効果を得ていた既存の「針療法」を改善し、分節脊髓反射点に相応する皮膚への金属刺激のみで大脳信号を調節して病理を回復し得るようにしたものである。
【００１９】
したがって、既存の針療法に伴う痛みや危険性の負担を除去でき、しかも、治療点さえ分かっていれば誰でも容易に自ら治療ができるようになったという長所を有すると共に、本人も気付かないまま進行される疾病までも退治できるようになり、治療および予防効果を兼ね備えているので、本発明の器具の効用価値は更に大きいと言える。
【００２０】
近年、複雑な社会を生きて行く現代人にとっては、各種の環境的ストレスによる様々な種類の成人病や難病が増加し、各種の運動障害や感覚障害などが深刻に台頭しているが、原因も病名も分からないために治療に臨むことができない場合が多い。
【００２１】
このような時期に、本発明の器具が発明されることにより、病名とは関係なく自らの治療（self-treatment）は勿論、これらの器具を普段に活用することにより病理の要因である興奮性信号を予め調節し、各種の疾病から予防することが可能となったのである。
【００２２】
本発明の器具は、全ての疾病に優れた治療効果を発揮しているが、特に、中指に活用するリング（ring）タイプの調節器具は、難治の心・肺疾患および脳疾患を治療・予防することができる。
【００２３】
本発明に係る調節器具のうちクリップ（clip）タイプの調節器具は、手の甲から探し出した分節脊髓反射点に活用し、腹部および下肢の疾病を治療、または予防できる器具である。
【００２４】
更に詳しく説明すると、本発明に係る調節器具は、両手の中指および手の甲にそれぞれ存在する３１個の調節点、すなわち分節脊髓反射点に、調節器具に取り付けられた金属製の突起が圧迫刺激を与えて大脳信号を調節することにより、治療および予防効果を発揮する器具であり、中指にはスプリングの弾力を利用したリングタイプの器具を挟み、また手の甲にはクリップタイプに作られた器具の弾力によって金属突起の圧迫刺激が与えられるようにすることで身体の機械的、生化学的な生理活動を円滑に回復させる治療用器具である。
【００２５】
針療法には、長年の経験を土台にして発展してきた東洋医術のツボ針療法、手指針療法、手足針など様々な方法があるが、本発明者は、２０年以上研究した結果、経絡の作用が神経生理の作用であることを確認し、経絡説が神経系の分節生理を予知した神経系の活用法であることを立証することができた。しかしながら、解剖学が全く発達していなかった時代における神経系の活用法は多くの混同をもたらしている。
【００２６】
本発明者は、このような長年の経験による経絡説に内在した統計性と解剖生理学的に糾明された神経生理を組み合わせることにより、神経系が生命活動の主体であることを確認できるようになり、神経系の電気的信号は金属刺激によって調節されることを数多くの実験を経て立証できた。その結果、一般的な病症は勿論、難病、または原因も病名も分からない疾患までも副作用なく効果的に治療でき、しかも、予防面においても優れた効果を有する医術を完成するようになった。本発明者は、これを体節神経調節療法 [ＳＮＣ（ＳＯＮ’ｓ Segmental Nerve Control]と命名したのである。
【００２７】
一つの体節は、皮節、筋節（骨格筋、平滑筋）、および硬節からなり、これらの組織は同じ神経の支配を受ける。
【００２８】
すなわち、皮膚に分布した神経、骨格筋に分布した神経、内臓平滑筋に分布した神経、および脊椎骨に分布した神経は、いずれも同じ神経である。
【００２９】
したがって、骨格筋への金属刺激によって支配神経の信号を変化させることで、治療効果を得ていた従来の「磁針法」は、皮膚に分布した神経線維への金属刺激によっても支配神経の信号が調節され得るという理論が成り立つ。
【００３０】
このような論理によって開発された本調節器具は、中指および手の甲から探し出した分節脊髓反射点の皮膚に活用することで、頭痛、脳血管疾患、耳鼻咽喉科疾患、消化器疾患、心臓疾患、肺疾患、免疫系疾患、腸管疾患、子宮疾患、泌尿器疾患、運動系疾患（腰痛、関節痛、神経痛）などの広範囲な病症に優れた治療効果を発揮している。
【００３１】
本発明に係る調節器具、すなわちハサミ型、クリップ型、またはバンド型のいずれかを、本発明者によって中指および手の甲から見出された分節脊髓反射点に、２０〜３０分または１〜２時間任意的に使用することで治療効果を発揮することができる。既存の「針療法」は、１日当たり１回の治療でも無理を与えることあったが、本器具は一日中制限なく随時自由に治療できるという長所を有する。
【００３２】
上述したように、あらゆる病理の要因は、大脳から体節に到達した興奮性信号であるが、現代の西洋医学は疾病の原因を感染性（細菌性やウイルス性）、遺伝性、内分泌障害、神経性（ストレスなどの精神的な疾病）などにその原因があると判断しているが、より具体的な原因は明らかにされていない。
【００３３】
すべての生命活動は、身体の内外に持続的な運動（随意的・不随意的な運動）を引き起こすことにより営まれる現象である。運動の機序は非常に複雑なもののように見えるが、実は大脳から体節に到達した電気的信号によって体節筋が伸縮作用を引き起こすことにより誘発される。
【００３４】
したがって、運動の単位は体節筋となり、最適の生命活動がなされるためには、体節筋の伸縮が円滑に行われなければならず、そのためには大脳から体節に到達する電気的信号が平衡を保たなければならない。
【００３５】
もし神経系の電気的信号の均衡が破れ、いずれかの神経系が興奮的に作用すれば、それは病理の要因となる。ところが、かかる興奮性信号は金属刺激によって回復に向けて調節されて平衡が保たれる。そのため、疾病を治療・予防するためには神経系の信号を調節することが最善であり、しかも最も根源的である。
【００３６】
すべての病理は退行を伴う。なぜなら、薬物は大脳信号まで変化させることはできないからである。本器具は大脳信号を調節する根源的な治療であるので、退行の予防はもとより、退行組織を再生する能力までも有する。
【００３７】
本発明の脊髓反射点に用いられる調節器具（圧迫器具）は、中指に用いられるハサミ型として作られたリングタイプの器具と、手の甲の分節脊髓反射点に用いられるクリップタイプの器具と、主に子供のために用いられるバンドワインド（ｂａｎｄ ｗｉｎｄ）タイプの器具で構成されている。
【００３８】
以上のように、本発明に係る調節器具（圧迫器具）は、本発明者の開発した「体節神経調節療法（ＳＮＣ）」に適用される器具であって、難病や原因の分からない疾病までも効果的に治療できると共に、予防医学としても十分な效果が有するので、人類の健康増進に大きく貢献できると言える。
【００３９】
以下に、本発明に係る調節器具（圧迫器具）の形態及びそれぞれの使用方法を図面を参照しながら具体的に説明する。
【実施例１】
【００４０】
図１は、本発明に係る医療用脊髄反射点調節器具（以下「調節器具」という）１を、中指に存在する分節脊髓反射点に用いた状態説明図である。
【００４１】
調節器具１は、図２及び図３に示すように、ハサミ型に形成しており、一対の狭持部３,３の前部を中指を取り囲む湾曲形状に形成して、中指の中央部から小指側の方を向けて約１〜２ｍｍの所に金属突起、すなわち、金属製圧迫突起６が圧迫することで刺激が与えられるように構成し、後端部には駆動取っ手４,４を設け、中間部にはヒンジ部２を設けて開閉可能となるようにし、ヒンジ部２の中央部にはスプリング５を設け、該スプリング５によって一対の挟持部３,３が指を挟持して圧迫し得るようにしている。
【００４２】
上記のハサミ型の調節器具１は、その材質が非伝導体である合成樹脂で作られ、その形態は一般的なハサミ器具の狭持装置と同じであると言えるが、ただ、指の太さに合わせて適切に固定可能になるように指の太さおよび直径に合わせたリングタイプ構造にし、少なくとも一方の狭持部３に本発明の要素となる金属製圧迫突起６を固定させて設置することに特徴がある。
【００４３】
金属製圧迫突起６は、金、銀、白金、銅などが一定の割合でなる合金として形成され、該金属製圧迫突起６の形態は、その外側端部が直線の凸凹構造を成す。
【００４４】
図４は、本発明に適用される金属製圧迫突起６の様々な形態を示す図面である。
【００４５】
金属製圧迫突起６は、その厚さが０.７ｍｍ程度であり、長さは５ｍｍの直線形の金属突起であり、ハサミの狭持間の一側に埋め込まれ、固定されて付着する。６ａは圧迫突起固定片である。
【００４６】
凸凹部の形態は、その突起の先端部が尖った形をとるようにし、その種類としては、図４(a)に示す直線凸凹型、図４(b)に示す円錐型、図４(c)に示す鋸歯型、図４(d)に示す三角突起型などと様々な形に形成し、皮膚に刺激を与え得るようにする。
【実施例２】
【００４７】
図６及び図７は、クリップ型の調節器具７を示しており、図５に示すように、主に手の甲の分節脊髓反射点に用いられる器具である。
【００４８】
クリップ型の調節器具７は、胴体部１０が折り曲げ型を成す弾力的な合成樹脂の材質で構成され、手の甲の分節脊髓反射点に狭持されるように構成されるが、狭持弾力は合成樹脂材質自体の弾性を利用する。
【００４９】
クリップ型の調節器具７にも、本発明の要素となる金属製圧迫突起６が約７ｍｍ程度の直線として構成されている。
【実施例３】
【００５０】
図９及び図１０は、バンド型の調節器具８を示しており、図８に示すように、主に中指や手の甲の分節脊髓反射点に用いられる器具である。
【００５１】
バンド型の調節器具８は、これは纎維の織物である布またはビニール紙をバンド型に形成したバンド型部材１１に、上記した本発明の要素である金属製圧迫突起６を取り付け、中指や手の甲に取り付けたり、巻いたときに、クリップ型の調節器具７と同じ機能を付与するように、固定部材としての面ファスナー（ベルクロファスナー）９を内外側端部に取り付けている。
【００５２】
図１，図５，及び図８は、本発明に係る調節器具１，７，８の使用状態をそれぞれ示すものである。
【００５３】
ハサミ型の調節器具１は、図１に示すように、取っ手４を押し下げて狭持部３を広げた後、中指に存在する分節脊髄反射点に金属製圧迫突起６が正確に位置するように固定させる。
【００５４】
クリップ型の調節器具７は、図５に示すように、手の甲に存在する脊髓反射点に金属製圧迫突起６が正確に位置するように固定させる。
【００５５】
バンド型の調節器具８は、図８に示すように、中指または手の甲に存在する脊髓反射点に金属製圧迫突起６が正確に一致するように巻いて、面ファスナー９で暫定的に固定させて取り付ける。
【００５６】
前期着用法により、中指および手の甲に存在する脊髓反射点に金属製圧迫突起６が圧迫されるようにすることで、本発明に係る調節器具は治療効果を発揮するようになる。
【００５７】
前記金属製圧迫突起６を具備する調節器具１，７，８は、図１，図５及び図８に示すように、中指または手の甲に挟持し、金属製圧迫突起６が図１１に示す分節脊髓反射点Ｐを少々の痛みが感じられる程度に圧迫するようにすることで、本発明の治療目的が達成できる。
【図面の簡単な説明】
【００５８】
【図１】ハサミ型の調節器具の使用状態説明図。
【図２】ハサミ型の調節器具の斜視図。
【図３】ハサミ型の調節器具の側面図。
【図４】調節器具に設ける金属製圧迫突起の様々な実施例を示す斜視図。
【図５】クリップ型の調節器具の使用状態説明図。
【図６】クリップ型の調節器具の斜視図。
【図７】クリップ型の調節器具の側面図。
【図８】バンド型の調節器具の使用状態説明図。
【図９】バンド型の調節器具の斜視図。
【図１０】バンド型の調節器具の側面図。
【図１１】中指における分節脊髓反射点を示す参考図。
【符号の説明】
【００５９】
１  ハサミ型の調節器具
２  ヒンジ部
３  狭持部
４  取っ手
５  スプリング
６  金属製圧迫突起
７  クリップ型の調節器具
８  バンド型の調節器具
９  面ファスナー
【図１】
2004243108.tif 000003
【図２】
2004243108.tif 000004
【図３】
2004243108.tif 000005
【図４】
2004243108.tif 000006
【図５】
2004243108.tif 000007
【図６】
2004243108.tif 000008
【図７】
2004243108.tif 000009
【図８】
2004243108.tif 000010
【図９】
2004243108.tif 000011
【図１０】
2004243108.tif 000012
【図１１】
2004243108.tif 000013